(57)【要約】【課題】  座部を支える脚部に上下動可能な足掛用のステップを有し、しかも簡単に形態を変更して使用することができる学童用椅子を提供する。【解決手段】  座部を支える脚部に上下動可能な足掛用のステップ１１を設ける。ステップ１１を、ステップ本体２１と、ステップ本体２１を脚部に固定する固定手段２３と、から構成する。ステップ本体２１の取り付け部を開口３９、３９から脚部に嵌め付け、固定手段２３により、開口３９、３９を塞いで取り付け部を脚部に固定する。固定手段２３を、ステップ本体２１から取り外せるように構成しておく。【選択図】  図２
2005218723.tif 000002
【特許請求の範囲】
【請求項１】
座部を支える脚部に足掛用のステップを上下動可能に取り付けた学童用椅子であって、
前記ステップは、
側方に開口する嵌め付け凹部が形成された取り付け部を有し、前記脚部が前記嵌め付け凹部内に収まるように、前記取り付け部が側方の開口から前記脚部に上下スライド可能に嵌め付けられているステップ本体と、
前記ステップ本体を前記脚部に固定する解除可能な固定手段と、を備え、
前記ステップ本体が、前記固定手段を取り外し、前記開口と反対方向に移動させることにより前記脚部から取り外すことができるように構成されている、ことを特徴とする学童用椅子。
【請求項２】
前記嵌め付け凹部は、Ｕ字状又は断面Ｕ字状に形成されている、ことを特徴とする請求項１記載の学童用椅子。
【請求項３】
前記固定手段は、前記開口に跨って取り外し可能な状態で前記ステップ本体の前記取り付け部に取り付けられた固定用プレート片と、先端部が前記脚部に対し固定されるように、前記固定用プレート片にねじ込まれた固定用ねじ部材と、を有している、ことを特徴とする請求項１又は２記載の学童用椅子。
【請求項４】
前記固定手段は、前記固定用プレート片の内側で、前記嵌め付け凹部内に配置された固定部材をさらに有し、この固定部材は、前記固定用ねじ部材の先端部に押されて前記脚部に対し押し付けられて固定されるように構成されている、ことを特徴とする請求項３記載の学童用椅子。
【発明の詳細な説明】
【技術分野】
【０００１】
本発明は、家庭等において使用される学童用椅子に関する。
【背景技術】
【０００２】
従来、家庭等において使用される学童用椅子には、足掛用のステップが取り付けられている。通常、足掛用のステップのステップ本体には筒状のハブ部が形成されていて、このハブ部に座部を支える脚部が通され、かつ、ねじ付きつまみでハブ部が脚部に固定されることにより、学童用椅子は組み立てられている（例えば、特許文献１参照）。ステップ本体は、ねじ付つまみをゆるめることにより、脚部に沿ってスライドできるように構成されていて、このステップ本体を適当な高さにスライドさせ、ねじ付きつまみをねじ込んで脚部に固定することにより、ステップの取り付け高さを調整することができる。これにより、学童の体格に合わせてステップの取り付け高さを変えることが可能となる。
【０００３】
【特許文献１】特開２００２−３４７０３号公報
【発明の開示】
【発明が解決しようとする課題】
【０００４】
ところで、このような学童用椅子は、学童が成長してステップが不用となったときにステップを取り外そうとしても、座部と脚部とを分解しなければならないので、簡単に取り外すことができない。また、一旦ステップを取り外した後に、別の学童に使わせる場合等、再度ステップを取り付けて使用する場合には、やはり、座部と脚部とを分解しなければならないので、簡単に取り付けることができない。したがって、特許文献１に記載されたような学童用椅子は、状況に応じた形態に簡単に変更して使用することができないので、使い勝手がよくない。  
【０００５】
そこで、本発明は、座部を支える脚部に上下動可能な足掛用のステップを有し、しかも簡単に形態を変更して使用することができる学童用椅子を提供することを目的とする。
【課題を解決するための手段】
【０００６】
この目的を達成するための本発明の学童用椅子は、座部を支える脚部に足掛用のステップを上下動可能に取り付けた学童用椅子であって、前記ステップは、側方に開口する嵌め付け凹部が形成された取り付け部を有し、前記脚部が前記嵌め付け凹部内に収まるように、前記取り付け部が側方の開口から前記脚部に上下スライド可能に嵌め付けられているステップ本体と、前記ステップ本体又は前記取り付け部を前記脚部に固定する解除可能な固定手段と、を備え、前記ステップ本体が、前記固定手段を取り外し、前記開口と反対方向に、すなわち前記脚部が前記開口から抜け出ることとなる方向に移動させることにより前記脚部から取り外すことができるように構成されているものである。ステップ又は取り付け部は、例えば、座部の高さを調整することができる、可動筒及び固定筒を備えた伸縮可能な脚部又は脚部本体のこの固定筒に上下スライド可能に取り付けられる。このような学童用椅子では、座部と脚部とを分解しなくても、ステップ又はステップ本体を取り付け部の開口から脚部に嵌め付けて取り付けることができるとともに、ステップが不要になった場合には、やはり、座部と脚部とを分解しなくても、固定手段を取り外すだけで簡単に取り外すことができる。ステップ本体の取り外しには、固定手段全体の取り外しが必要なように構成できる。また、固定手段の一部の取り外しによりステップ本体が取り外せるように構成することもできる。
【０００７】
嵌め付け凹部を、Ｕ字状又は断面Ｕ字状に形成すれば、脚部への取り付け容易性が増大する。
【０００８】
固定手段は、嵌め付け凹部又は取り付け部の開口に跨って取り外し可能な状態でステップ本体又は取り付け部に取り付けられた固定用プレート片と、先端部が脚部に対し、例えば押し付けられて、固定されるように、固定用プレート片にねじ込まれた固定用ねじ部材と、を有するように構成できる。固定手段による固定プロセスは、ステップ本体又はステップ本体の取り付け部を、嵌め付け凹部が脚部を収容するように脚部に嵌め付けてから、開口に固定用プレート片を取り付け、それから、固定用ねじ部材を固定用プレート片にねじ込み、又はさらにねじ込み、固定用ねじ部材の先端部が脚部に対し、例えば強く押し付けられて、係合するまで、先端部を固定用プレート片から突出させるといったものである。固定手段のこのような構成により、簡単にステップ本体の取り付け及び取り外しができるようになる。ステップ本体は、例えば、嵌め付け凹部と固定用ねじ部材とによって脚部が強く挟み付けられることにより、脚部に固定して取り付けられる。
【０００９】
固定手段はさらに、固定用プレート片の内側で、嵌め付け凹部内に配置された固定部材を有することができる。このような固定部材は、例えばブロック状に形成され、固定用ねじ部材の先端部に押されて脚部に対し押し付けられて固定される。これにより、固定用ねじ部材と脚部との間の強固な固定状態が確保され、例えば、脚部が固定部材と嵌め付け凹部とによって安定して挟み付けられることとなる。ここでは、固定用ねじ部材の先端部が固定部材の後端面に形成された受け穴内に入り込むように構成できる。
【発明の効果】
【００１０】
以上述べたように、本発明の学童用椅子は、足掛用のステップを、脚部と座部とを分解しなくても、取り外し、かつ再び取り付けることができるので、使い勝手のよいものとなる。
【発明を実施するための最良の形態】
【００１１】
以下、本発明を実施するための形態を図面を参照して説明する。
【００１２】
図１は本発明に係る学童用椅子を示す斜視図である。
【００１３】
学童用椅子１は、布・革材等のカバーで覆われたクッション部を備える座部３と、この座部３を支える脚部５と、座部３に固定されて設けられた、この座部３と同じ構造のクッション部を備える背もたれ部７とで椅子本体９を構成し、この椅子本体９の脚部５に足掛用のステップ１１が着脱可能で上下動可能に又は上下スライド可能に取り付けられている。
【００１４】
脚部５は、例えば、エアー式の昇降手段（図示せず）によって上下方向に伸縮する、円筒状の可動筒１３及び固定筒１５を備えた脚部本体（支柱部）１６と、固定筒１５の下端部に設けられた、自在ローラ１７を有する複数本の安定脚１９とで構成されている。可動筒１３は固定筒１５内にスライド可能に挿入されていて、この可動筒１３の固定筒１５に対するスライドにより脚部本体１６は伸縮することとなる。
【００１５】
図２はステップ１１の分解斜視図である。
【００１６】
ステップ１１は、ステップ本体２１と、このステップ本体２１を脚部５（固定筒１５）に固定するための固定手段２３と、を備えている。ステップ本体２１は、Ｕ字状の取り付けハブ２５と、この取り付けハブ２５の外周から放射状に又はぼほ放射状に外側へ延びる複数本、具体的には４本のアーム２７と、このアーム２７の外端に設けられた、中心角度が１８０度よりも多少大きい円弧状の足掛部２９と、から一体的に形成されていて、足掛部２９の開放部３１、３１は、取り付けハブ２５の開放部３３、３３と、周方向位置が一致するように設けられている（ここでは、足掛部２９の開放部３１、３１の中央に、取り付けハブ２５の開放部３３、３３が位置している）。取り付けハブ２５の開放部３３、３３からはそれぞれ、開放部３３を外側に延長するように、導入部３５が、一体的に、かつ、互いに平行に突出している。取り付けハブ２５及び一対の導入部３５、３５は取り付け部を構成し、取り付けハブ２５及び一対の導入部３５、３５の連続するＵ字状の内面は、上下両端に前周にわたって位置決め凹み３６、３６が形成されている嵌め付け凹部３７を構成していて、導入部３５、３５の外端は、嵌め付け凹部３７の、側方に開放する開口３９を形成している。なお、図中４１、４３は、足掛部２９上面に形成された滑り止め用の突条及び突起である。
【００１７】
固定手段２３は、開口３９、３９に跨って又は開口３９、３９（開口３９、３９間）を塞いで取り外し可能な状態でステップ本体２１又は導入部３５、３５に取り付けられた、中央にねじ孔４５が形成されている長方形状の金属製等固定用プレート片４７と、固定用プレート片４７の内側で、導入部３５、３５間に配置された、例えば硬質プラスチック製のブロック状固定部材４９と、固定用プレート片４７のねじ孔４５にねじ込まれた、後端部に例えば硬質プラスチック製の回転用つまみ５１を有する金属製等固定用ねじ部材５３と、脚部本体１６の固定筒１５外周に嵌め付けられて、嵌め付け凹部３７の取り付けハブ２５部分内に位置する、例えばプラスチック製の弾性を有する固定用筒部材５５と、から構成されている。固定用筒部材５５は、固定筒１５の外周とほぼ同一の内径を有する筒状体の周方向一個所に、上下方向全長にわたって延びる細い変形用スリット５７を有して形成されていて、上端及び下端にそれぞれ、外向きフランジ５９、６１を一体的に備えている。
【００１８】
固定部材４９は、ほぼ直方体状に構成されていて、両側面にそれぞれ、案内保持用の突起又は突条６３、６３を有し、固定用筒部材５５の外周面に対応するように断面円弧状に湾曲している前端面を備えている。また、固定部材４９の後端面中央には、固定用ねじ部材５３の先端部が入り込む受け穴６５が形成されている。そして、導入部３５、３５の付け根側内面にはそれぞれ、ガイド支持溝６７、６７が設けられていて、それぞれのガイド支持溝６７は、固定部材４９の突条６３よりも広い幅（ここでは突条６３のほぼ２倍の幅）を有し、上端で開口する有底形状に形成されている。固定部材４９は、案内保持用の突条６３を、導入部３５のガイド支持溝６７内に、上端開口から嵌め込むことにより、導入部３５、３５間に配置される。固定部材４９は、案内保持用の突条６３がガイド支持溝６７の底部にささえられることにより、導入部３５、３５間に保持されることとなるが、ガイド支持溝６７の幅は、突条６３の幅よりも広いので、固定部材４９は導入部３５に沿ってスライド的に多少移動できるようになっている。
【００１９】
固定用プレート片４７は、導入部３５、３５の間隔よりも若干広い幅（長辺方向の幅）を有するように形成されている。そして、導入部３５、３５の開口３９、３９側内面（開口３９、３９内面）にはそれぞれ、取り付け溝６９、６９が設けられていて、それぞれの取り付け溝６９は、固定用プレート片４７の厚みとほぼ同一の幅を有し、上端で開口する有底形状に形成されている。固定用プレート片４７は、幅方向両端部をそれぞれ、導入部３５の取り付け溝６９内に、上端開口から嵌め込むことにより、導入部３５、３５の開口３９、３９（開口３９、３９の間）を横切るように配置されている。
【００２０】
図３乃至図６はステップ１１の脚部５への取り付け過程を説明する図であり、図３はステップ本体２５を脚部５に嵌め付けた状態の平面図、図４は固定部材４９を導入部３５、３５間に配置した状態の要部拡大平面図、図５は固定用プレート片４７を導入部３５、３５に取り付け、固定用ねじ部材５３を締め付け操作する場合を示す要部拡大平面図、図６はステップ１１を脚部５に固定した状態を示す平面図である。
【００２１】
ステップ１１を脚部５に固定する場合には、まず脚部５の固定筒１５外周に、固定用筒部材５５を嵌め付けておく。固定用筒部材５５の嵌め付けは、スリット５７を開き、このスリット５７が固定筒１５を通過するようにして行なわれる。次に、ステップ本体２１の取り付けハブ２５を、導入部３５の開口３９から固定筒１５、より具体的には固定用筒部材５５の外周に嵌め付ける。ここでは、取り付けハブ２５又は嵌め付け凹部３７の半円状部を固定用筒部材５５の外周に嵌め付ける。半円状部は固定用筒部材５５の外径とほぼ等しい又は若干大きい内径を有するように形成されている。取り付けハブ２５は、固定用筒部材５５の上下両端の外向きフランジ５９、６１がそれぞれ、嵌め付け凹部３７の上下両端の位置決め凹み３６、３６内に収まるように、固定用筒部材５５に嵌め付けられる。ここでは、取り付けハブ２５の開放部３３、３３間あるいは導入部３５、３５の開口３９、３９間の中央に固定用筒部材５５のスリット５７が位置するようにしておくことが好ましい。
【００２２】
ステップ本体２１を脚部５に嵌め付けたら、固定部材４９をガイド支持溝６７、６７に取り付けて導入部３５、３５間に配置するとともに、予めねじ孔４５に固定用ねじ部材５３をねじ付けておいた固定用プレート片４７を取り付け用溝６９、６９に取り付けて、導入部３５、３５の開口３９、３９位置に配置する。
【００２３】
この状態で、固定用ねじ部材５３を締め付け方向に回すと、固定部材４９は、固定用ねじ部材５１の先端部に押されて嵌め付け凹部３７内を移動し、脚部５を押圧する。
【００２４】
すなわち、固定用ねじ部材５３を締め付け方向に回すと、固定用ねじ部材５３の先端部が固定部材４９の受け穴６５内に入り込む。さらに、固定用ねじ部材５３を締め付け方向に回すと、固定部材４９は、固定用ねじ部材５３の先端部に押されて、ガイド支持溝６７、６７内を内側に向ってスライド移動し、前端面が固定用筒部材５５の外周と例えば面接触する。この状態で、固定用ねじ部材５３をさらに締め付け方向に回すと、固定部材４９の前端面全体が固定用筒部材５５の外周面（ここではスリット５７を含む個所）を押圧し、固定用筒部材５５をつぶすように若干変形させて、固定筒１５に押し付ける。これにより、固定部材４９が、固定用筒部材５５を介して固定筒１５の外周に強く押し付けられて固定され、固定部材４９と取り付けハブ２５とが固定筒１５を強く挟み付ける。その結果、ステップ本体２１又は取り付けハブ２５は、脚部５に固定されて取り付けられることとなる。
【００２５】
図７は座部３及びステップ１１の高さを調整する場合を説明する斜視図である。
【００２６】
椅子本体９は、脚部５の可動筒１３を固定筒１５に対してスライドさせ、昇降させることにより、座部３の高さを調整をすることができるように構成されているが、ステップ１１は、固定筒１５に固定されて取り付けられているので、座部３の高さ調整に影響されることはない。また、ステップ１１あるいはステップ本体２５は、固定用ねじ部材５３を緩み方向に回転させて固定部材４９の固定用筒部材５５への押圧を解除すれば、上下方向にスライド移動させることができるので、適当な高さ位置に移動させてから固定用ねじ部材５３を締め付け方向に回転させて固定し、高さ調整を行なうことができるように構成されている。
【００２７】
ステップ１１を脚部５から取り外す場合は、まず、固定用ねじ部材５３を緩めて固定部材４９の固定用筒部材５５及び脚部５への押圧状態を解除する。次に、固定用プレート片４７及び固定部材４９を導入部３５、３５間から取り外し、その後でステップ本体２１を開口３９、３９と反対方向に移動させて取り外すとともに、固定用筒部材５５を脚部５（固定筒１５）から外す。このような工程を経ることにより、座部３と脚部５とを分解しなくとも効率よくステップ１１を取り外すことができる。
【００２８】
なお、ここでは、ステップ本体２１を、脚部５に嵌め付けるために、固定用筒部材５５を用いた場合を説明したが、本発明はこれに限らず、固定部材４９の前端面と取り付けハブ２５内にそれぞれ厚手のゴムシート材を配置しておく構成を採用してもよい。
【産業上の利用可能性】
【００２９】
本発明の学童用椅子は、低学年用にも高学年用にも簡単に形態を変更して使用することができる。
【図面の簡単な説明】
【００３０】
【図１】本発明に係る学童用椅子を示す斜視図である。
【図２】ステップの分解斜視図である。
【図３】ステップの脚部への取り付け過程を説明する図であり、ステップ本体を脚部に嵌め付けた状態の平面図である。
【図４】ステップの脚部への取り付け過程を説明する図であり、固定部材を導入部間に配置した状態の要部拡大平面図である。
【図５】ステップの脚部への取り付け過程を説明する図であり、固定用プレート片を導入部に取り付け、固定用ねじ部材を締め付け操作する場合を示す要部拡大平面図である。
【図６】ステップの脚部への取り付け過程を説明する図であり、ステップを脚部に固定した状態を示す平面図である。
【図７】座部及びステップの高さを調整する場合を説明する斜視図である。
【符号の説明】
【００３１】
１                    学童用椅子
３                    座部
５                    脚部
１１                  ステップ
２１                  ステップ本体
２３                  固定手段
３７                  嵌め付け凹部
３９                  開口
【図１】
2005218723.tif 000003
【図２】
2005218723.tif 000004
【図３】
2005218723.tif 000005
【図４】
2005218723.tif 000006
【図５】
2005218723.tif 000007
【図６】
2005218723.tif 000008
【図７】
2005218723.tif 000009